(57)【特許請求の範囲】
【請求項１】
ファスナーであって、
横部材に対して互いに反対側に配置される第１および第２の穴を規定する第１のプレートと、
前記第１のプレートに嵌め合い係合されるように構成される第２のプレートと、を備え、
前記第１および前記第２のプレートが互いに嵌め合い係合されるとき、前記第２のプレートが前記第１および前記第２の穴の上を延在し、前記横部材が前記第２のプレートから離間され、
前記第１のプレートが、互いに反対側にある第１および第２の側を規定し、前記第２のプレートが前記第２の側の上に重なり、前記第１のプレートが、前記第１および第２の穴の外側に延在し前記第１のプレートを材料層に固定可能に取り付けるように構成されたフランジを規定し、
前記ファスナーはさらに、
前記第１の側から前記第２の側まで前記第１の穴を通り、前記横部材を越えて、前記第２の側から前記第１の側まで前記第２の穴を通って延在する引張部材を備えることを特徴とするファスナー。
【請求項２】
請求項１に記載のファスナーであって、前記第２のプレートの反対の側から、前記第１のプレートに嵌め合い係合されるように構成される第３のプレートをさらに備えることを特徴とするファスナー。
【請求項３】
請求項２に記載のファスナーであって、前記第３のプレートが、前記第３のプレートが前記第１のプレートに嵌め合い係合されるときに前記第１のプレート内の前記第１の穴および前記第２の穴にアクセスするのを可能にするようにサイズ決定される対応する穴を規定することを特徴とするファスナー。
【請求項４】
請求項３に記載のファスナーであって、引張部材が前記第３のプレートによって規定される前記穴を通って延在することを特徴とするファスナー。
【請求項５】
請求項１に記載のファスナーであって、前記第１のプレートが少なくとも１つのオスカプラを規定し、前記第２のプレートが対応する少なくとも１つのメスカプラを規定し、前記オスカプラおよび前記メスカプラが相補的に構成され、その結果、前記第１のプレートおよび前記第２のプレートが互いに嵌め合い係合されるときに前記オスカプラおよび前記メスカプラが互いに係合されるようになることを特徴とするファスナー。
【請求項６】
請求項５に記載のファスナーであって、前記第１のプレートが前記第２のプレートの方を向く実質的に平坦な境界領域を規定し、前記横部材が前記平坦な境界領域に対して垂直な方向において前記平坦な境界領域から離間され、前記第１のプレートが、前記第１の穴、前記第２の穴および前記横部材のうちの１つ以上に実質的に平行となるように方向付けられる、前記平坦な境界領域から延在する壁を規定し、前記少なくとも１つの前記オスカプラが前記壁から延在する突起部を備えることを特徴とするファスナー。
【請求項７】
請求項６に記載のファスナーであって、前記壁が第１の壁を備え、前記第１の穴に隣接して平行に配置され、前記第２の穴に隣接して平行に配置される第２の壁をさらに規定し、前記突起部が前記第１の穴と反対の方向に前記第１の壁から延在する第１の突起部を備え、前記少なくとも１つの前記オスカプラが前記第２の穴と反対の方向に前記第２の壁から延在する第２の突起部を備えることを特徴とするファスナー。
【請求項８】
請求項７に記載のファスナーであって、前記第２のプレートが、平坦部材と、前記平坦部材から直角に延在する反対側にある第１および第２の壁とを規定し、前記少なくとも１つの前記メスカプラが第１の凹部領域および第２の凹部領域を備え、前記第１の凹部領域および前記第２の凹部領域の各々が前記反対側にある第１および第２の壁の各々１つによって規定されることを特徴とするファスナー。
【請求項９】
請求項２に記載のファスナーであって、前記第３のプレートが、前記第３のプレートに対して実質的に直角の方向に前記第３のプレートから延在する１つ以上のオスカプラを規定することを特徴とするファスナー。
【請求項１０】
請求項９に記載のファスナーであって、前記第１のプレートが、前記第３のプレートから延在する前記１つ以上のオスカプラに対して相補的な構成を有するメスカプラを規定することを特徴とするファスナー。
【請求項１１】
請求項１０に記載のファスナーであって、メスカプラが、前記第３のプレートの前記オスカプラを通して延在させることができる穴を備えることを特徴とするファスナー。
【請求項１２】
請求項１１に記載のファスナーであって、前記オスカプラが前記第３のプレートの表面の方を向くランディング領域を有するテーパ状バーブを規定し、前記オスカプラが前記表面から延在し、前記第１のプレートが、前記第３のプレートの前記オスカプラを通して延在させることができる穴に隣接して配置される対応するランディング領域を規定し、前記第３のプレートおよび前記第１のプレートが互いに嵌め合い係合されるときに前記テーパ状バーブの前記ランディング領域が前記第１のプレートの前記ランディング領域を押圧することを特徴とするファスナー。
【請求項１３】
請求項１２に記載のファスナーであって、前記第１のプレートが少なくとも１つの第１のメスカプラを備え、前記第２のプレートが少なくとも１つの第２のメスカプラを備え、前記第１および前記第２のメスカプラが前記第１の穴の前記第１および前記第２の穴の外側に配置されることを特徴とするファスナー。
【請求項１４】
調整可能な長さのストラップであって、
反対側にある第１および第２の側を有し、前記第１の側から前記第２の側まで延在する穴を規定するコアと、
第１および第２の穴と、前記第１の穴と前記第２の穴との間に配置される横部材とを規定するファスナー部材であって、前記ファスナー部材が前記第１および第２の穴の外側に延在してそれにより前記コアの前記第１の側を押圧するフランジをさらに規定し、それにより、前記コアを通って延在する前記穴に対して前記ファスナー部材の前記第１および第２の穴が位置合わせされる、前記ファスナー部材と、
前記コアの前記第１の側から前記コアの前記第２の側まで延びる方向で前記ファスナー部材内の前記第１の穴を通り、前記横部材を越え、前記コアの前記第２の側から前記コアの前記第１の側まで延びる方向で前記ファスナー部材内の前記第２の穴を通って延在する引張部材と、
外側に向かって延在するフランジを含み、前記コアの前記第２の側に隣接して配置されるカバープレートと、を備え、
前記カバープレートが、前記コア内の前記穴を通して前記ファスナー部材に嵌め合い係合され、前記コアが、前記カバープレートのフランジと前記ファスナー部材のフランジとの間に配置されることで、嵌め合い係合された前記カバープレートおよび前記ファスナー部材が、前記コアによって規定された前記穴内に固定されることを特徴とする調整可能な長さのストラップ。
【請求項１５】
請求項１４に記載の調整可能なストラップであって、穴を規定し、前記カバープレートの反対のその側で前記ファスナー部材に嵌め合い係合されるバックプレートをさらに備え、前記引張部材が前記バックプレート内の前記穴を通って延在することを特徴とする調整可能なストラップ。
【請求項１６】
請求項１４に記載の調整可能なストラップであって、反対側にある内側表面および外側表面を有するスリーブをさらに備え、前記スリーブが前記コアの上に重なり、その結果、前記スリーブの前記内側表面が対向する関係で前記コアの方を向き、前記カバープレートが前記スリーブの前記外側表面の上に重なるフランジ領域を規定し、前記ファスナー部材が、前記穴の外側に延在して前記コアを押圧するフランジ領域を規定し、前記スリーブが、前記ファスナー部材に対して前記カバープレートを嵌め合い係合させるのを可能にするために前記カバープレートを通して延在させることができる開口を規定し、その結果、前記コアおよび前記スリーブが前記ファスナー部材の前記フランジ領域と前記カバープレートとの間に配置されることを特徴とする調整可能なストラップ。
【請求項１７】
請求項１４に記載の調整可能なストラップであって、前記コアの上に重なるスリーブをさらに備え、前記カバープレートが前記スリーブの上に重なり、その結果、前記コアおよび前記スリーブが前記カバープレートと前記ファスナー部材との間に配置され、前記引張部材が穴を規定するバックプレートをさらに備え、前記引張部材が前記バックプレート内の前記穴を通って延在し、前記バックプレートが前記ファスナー部材に嵌め合い係合されることを特徴とする調整可能なストラップ。
【請求項１８】
請求項１７に記載の調整可能なストラップであって、前記バックプレートが前記スリーブの一部分の上に重なるフランジを規定し、その結果、前記スリーブの前記一部分が前記バックプレートの前記フランジと前記ファスナー部材との間に配置されることを特徴とする調整可能なストラップ。
【請求項１９】
請求項１４に記載の調整可能なストラップであって、前記コアの前記第１の側の方を向く位置から見られる場合に、前記カバープレートが前記引張部材および前記ファスナー部材を覆い隠すことを特徴とする調整可能なストラップ。
【請求項２０】
ストラップを調整するための隠される調整機構を組み立てる方法であって、
ファスナー部材によって規定される第１の穴を通し、前記ファスナー部材の横部材を越えさせ、前記ファスナー部材によって規定されて前記横部材に対して前記第１の穴の反対側に配置される第２の穴を通して、引張部材を送るステップと、
前記引張部材を視界から覆い隠すために前記ファスナー部材に対してカバープレートを嵌め合い係合させるステップと、
コアによって規定される穴内に前記ファスナー部材を挿入するステップと、を含み、
前記ファスナー部材に対して前記カバープレートを嵌め合い係合させる動作が、前記ファスナー部材によって規定されるフランジと前記カバープレートによって規定されるフランジとの間に前記コアを配置することを含み、それにより、嵌め合い係合された前記ファスナー部材および前記カバープレートが、前記コアによって規定される前記穴内に固定されることを特徴とする方法。
【請求項２１】
請求項２０に記載の方法であって、スリーブに対して前記カバープレートを添着するステップおよび前記コアを前記スリーブ内に挿入するステップをさらに含み、前記ファスナー部材に対して前記カバープレートを嵌め合い係合させる動作が、前記コアと前記カバープレートによって規定される前記フランジとの間に前記スリーブの一部分を配置することをさらに含むことを特徴とする方法。
【請求項２２】
請求項２１に記載の方法であって、前記ファスナー部材に対してバックプレートを嵌め合い係合させるステップをさらに含み、その結果、前記スリーブの別の部分が前記バックプレートの前記フランジと前記ファスナー部材によって規定される前記フランジとの間に配置されることを特徴とする方法。
【請求項２３】
請求項２２に記載の方法であって、前記バックプレートによって規定される穴を通して前記引張部材を送るステップをさらに含むことを特徴とする方法。
【請求項２４】
請求項２２に記載の方法であって、前記バックプレートを前記スリーブに添着するステップをさらに含むことを特徴とする方法。
【請求項２５】
請求項２０に記載の方法であって、バックプレートによって規定される穴を通して前記引張部材を送るステップと、前記ファスナー部材に対して前記バックプレートを嵌め合い係合させるステップとをさらに含むことを特徴とする方法。
【請求項２６】
着用パックであって、
物品を含有するための容積部を規定する本体であって、前記本体が、全体的に高さ、幅および深さ、ならびに前記本体に結合される少なくとも１つの身体用ストラップを有する、前記本体と、
調整可能な引張部材と、カバープレートを備える調整機構とを備える調整可能な長さのストラップと、を備え、
前記カバープレートが前記調整可能な引張部材の一区分を視界から覆い隠し、
前記調整可能な長さのストラップが
穴を規定するコアと、
ファスナー部材と、
前記カバープレートと
をさらに備え、
前記ファスナー部材が、第１および第２の穴と、前記第１の穴と前記第２の穴との間に配置される横部材とを規定し、前記ファスナー部材が、前記第１および第２の穴の外側に延在してそれにより前記コアの第１の側を押圧するフランジをさらに規定し、それにより、前記コアを通って延在する前記穴に対して前記ファスナー部材の前記第１および第２の穴が位置合わせされ、且つ、前記ファスナー部材が前記コアを通る前記穴内に保持され、前記調整可能な引張部材が、前記コアの第１の側から前記コアの第２の側まで延びる方向で前記ファスナー部材内の前記第１の穴を通り、前記横部材を越え、前記コアの前記第２の側から前記コアの前記第１の側まで延びる方向で前記ファスナー部材内の前記第２の穴を通って延在し、前記カバープレートが前記ファスナー部材に嵌め合い係合されるように前記コアの前記第２の側に隣接して配置されること、
を特徴とする着用パック。
【請求項２７】
請求項２６に記載の着用パックであって、穴を規定し、前記カバープレートの反対のその側で前記ファスナー部材に嵌め合い係合されるバックプレートをさらに備え、柔軟な前記引張部材が前記パックプレート内の前記穴を通って延在することを特徴とする着用パック。
【請求項２８】
請求項２６に記載の着用パックであって、前記ストラップが前記コアの上に重なるスリーブをさらに備え、前記カバープレートが前記スリーブの外側表面の上に重なるフランジ領域を規定し、前記ファスナー部材が、前記穴の外側に延在して前記コアを押圧するフランジ領域を規定し、前記スリーブが、前記ファスナー部材に対して前記カバープレートを嵌め合い係合させるのを可能にするために前記カバープレートを通して延在させることができる開口を規定し、その結果、前記コアおよび前記スリーブが前記ファスナー部材の前記フランジ領域と前記カバープレートとの間に配置されることを特徴とする着用パック。
【発明の詳細な説明】
【技術分野】
【０００１】
本明細書で開示される革新技術および関連する主題（「本開示」と総称する）は、概して、ファスナーシステムに関し、限定しないがより詳細には、開示されるファスナーシステムの具体的な１つの例でしかないが、設置可能パック（例えば、バックパック、デイパック、リュックサック、ナップザック、パニア、宅配バッグ、ブリーフケース、オートバイタンクバッグなど）のストラップのための一体化されるバックルを備える、ストラップのための調整可能な引張部材に関する。
【背景技術】
【０００２】
本出願は、２０１５年６月２３日に出願された米国仮特許出願第６２／１８３，６４７号の利益および優先権を主張するものであり、あらゆる目的のためにこの特許出願の全体を本願に引用して援用する。
【０００３】
設置可能（限定しないが着用可能を含む）なパックは長く知られている。このようなパックは、通常、使用者の品物を収納するための１つ以上のコンパートメントと、使用時におよび／または収納のために設置可能なパックを支持または担持することを目的として適切な構造物に対して固定されるか、その周りに巻き付けられるか、または、別の形で機械的に係合されるように構成される設置用テザー（ｍｏｕｎｔｉｎｇ  ｔｅｔｈｅｒ）（例えば、肩ストラップ）とを有する。通常、コンパートメントは、ジッパー、ひもを引っ張るシステム（ｄｒａｗｉｎｇ  ｓｔｒｉｎｇ  ｓｙｓｔｅｍ）、スナップファスナー、面ファスナーなどの閉鎖システムによって固定されるかまたは別の形で閉鎖される。多くの従来の設置用テザーは、所与の設置用パックを多様な所望される用途のいずれかに合わせて調整するために調整可能な長さを有するように構成される。しかし、従来の設置用テザーは不格好な調整部品および過剰な長さのストラップを露出させる。
【０００４】
現代の美的好みおよび消費者の期待により、単純で、整っており、「クリーン」な見た目のデバイスに支持することに重きが置かれる。したがって、その１つ以上の部分を使用者および／または居合わせる人の視界から覆い隠すように構成されるファスナーシステムが必要とされる。さらに、従来の機能を維持しながらビルトインの外観または一体化される外観を有するためのファスナーシステムの構成要素が必要とされる。
【発明の概要】
【発明が解決しようとする課題】
【０００５】
本明細書で開示される革新技術は従来技術の問題を克服し、上で言及した要求または他の要求のうちの１つ以上の要求に対処する。
【課題を解決するための手段】
【０００６】
革新的なファスナーが開示される。第１のプレートが、横部材に対して互いに反対側に配置される第１の穴および第２の穴を規定することができる。第１のプレートが横部材を規定することができる。第２のプレートが第１のプレートに嵌め合い係合される（ｍａｔｉｎｇｌｙ  ｅｎｇａｇｅ）ように構成され得る。引張部材が第１のプレートの第１の側から反対の第２の側まで第１の穴を通って延在することができる。引張部材が、横部材を越えて、第２の穴を通って第２の側から第１の側まで延在することができる。第１および第２のプレートが互いに嵌め合い係合されるとき、第２のプレートが第１および第２の穴の上を延在し、横部材が第２のプレートから離間され、それにより、引張部材が第１のプレートに対して摺動することおよび引張部材の一区分を視界から覆い隠すことが可能となる。第１のプレートが、互いに反対側にある第１および第２の側を規定し、第２のプレートが第２の側の上に重なり、第１のプレートが、第１および第２の穴の外側に延在し第１のプレートを材料層に固定可能に取り付けるように構成されたフランジを規定し、ファスナーはさらに、第１の側から第２の側まで第１の穴を通り、横部材を越えて、第２の側から第１の側まで第２の穴を通って延在する引張部材を備える。
【０００７】
第３のプレートが、第２のプレートの反対側から、第１のプレートに嵌め合い係合され得る。いくつかの実施形態では、第３のプレートが、第１のプレートに対して第３のプレートが嵌め合い係合されるときに第１のプレート内の第１の穴および第２の穴にアクセスするのを可能にするようにサイズ決定される対応する穴を規定する。
【０００８】
開示されるファスナーを組み込む調整可能な長さのストラップが開示される。コアが反対側にある第１および第２の側を有することができ、第１の側から第２の側まで延在する穴を規定することができる。ファスナー部材が、第１および第２の穴と、それらの間に配置される横部材とを規定することができる。ファスナー部材が第１および第２の穴の外側に延在するフランジをさらに規定することができ、したがって、コアを通って延在する穴に対してファスナー部材の第１および第２の穴を位置合わせするためにコアの第１の側を押圧することができる。引張部材が、コアの第１の側からコアの第２の側まで延びる方向でファスナー部材内の第１の穴を通り、横部材を越え、コアの第２の側からコアの第１の側まで延びる方向でファスナー部材内の第２の穴を通って延在することができる。ストラップは、外側に向かって延在するフランジを含み、コアの第２の側に隣接して配置されるカバープレートと、を備え、カバープレートが、コア内の穴を通してファスナー部材に嵌め合い係合され、コアが、カバープレートのフランジとファスナー部材のフランジとの間に配置されることで、嵌め合い係合されたカバープレートおよびファスナー部材が、コアによって規定された穴内に固定される。
【０００９】
開示されるファスナーシステムを組み立てる方法が開示される。しかし、ストラップを調整するための隠される調整機構はこのようなファスナーシステムの単に一例である。引張部材がが、ファスナー部材によって規定される第１の穴を通り、ファスナー部材の横部材を越えて、ファスナー部材によって規定される第２の穴を通るように、送られ得る。第２の穴が横部材に対して第１の穴の反対側に配置され得る。カバープレートが、引張部材がを視界から覆い隠すためにファスナー部材と嵌め合い係合するように送り込まれ得る。ファスナー部材が、コアによって規定される穴内に挿入され得る。ファスナー部材に対してカバープレートを嵌め合い係合させる動作には、ファスナー部材によって規定されるフランジとカバープレートによって規定されるフランジとの間にコアを配置することが含まれてよい。カバープレートがスリーブに添着され得、コアがスリーブ内に挿入され得る。スリーブの一部分がコアとカバープレートによって規定されるフランジとの間に配置され得る。バックプレートがファスナープレートに嵌め合い係合されるように送り込まれ得、その結果、スリーブの別の部分がバックプレートのフランジとファスナー部材によって規定されるフランジとの間に配置される。
【００１０】
調整可能なストラップを組み込む着用パックが開示される。本体が物品を含有するための容積部を規定することができる。本体は、全体的に高さ、幅および深さ、ならびに本体に結合される少なくとも１つの身体用ストラップを有することができる。調整可能な長さのストラップが、調整可能な引張部材と、カバープレートを備える調整機構とを有することができる。カバープレートが調整可能な引張部材の一区分を視界から覆い隠すことができる。
【００１１】
いくつかの実施形態では、ストラップがまた、穴を規定するコアと、ファスナー部材と、調整可能な引張部材の少なくとも一区分（または、一部分）を視界から覆い隠すために本明細書で開示されるように構成されるカバープレートとを有する。
【００１２】
以下の詳細な記述および図面においてこれらの実施形態および他の実施形態をより詳細に説明する。例示として種々の実施形態を示して説明している以下の詳細な記述から他の革新的な態様が当業者に容易に明らかとなることを理解されたい。理解されるであろうが、本明細書で開示される原理の趣旨および範囲からすべて逸脱することなく、他の異なる実施形態も可能であり、また、様々な他の点においていくつかの細部を変更させることも可能である。
【００１３】
したがって、図面および詳細な記述は本質的に例示的であるとみなされ、限定的であるとみなされない。この文書で最初に提出された、またはその後に補正された、添付の請求項は、あたかも直接書かれているかのようにこの概要部分にこれによって組み込まれる。
【００１４】
特に明記しない限り、添付図面は本明細書で説明される革新的な主題の態様を示す。複数の図を通して同様の参照符号が類似の部分を示している図面を参照すると、これらの図面には、限定のためではなく単に例として、本明細書で開示される原理のいくつかの態様が詳細に示されている。
【図面の簡単な説明】
【００１５】
【図１】開示される調整可能な長さの引張部材の特定の単に一例を表している肩係合ストラップ（ｓｈｏｕｌｄｅｒ−ｅｎｇａｇｉｎｇ  ｓｔｒａｐ）を組み込む着用パックを示す図である。
【図２】図１に示されるストラップの調整部分を示す斜視図である。
【図３】図２に示される調整部分を示す側面図である。
【図４】線ＩＶ−ＩＶに沿う、図２に示される調整部分を示す断面図である。
【図５】図２に示される調整部分に組み込まれるファスナー部材を示す平面図である。
【図６】図５に示されるファスナー部材を示す側面図である。
【図７】図５に示されるファスナー部材を示す斜視図である。
【図８】図２に示される調整部分に組み込まれるカバープレートを示す平面図である。
【図８Ａ】穴を規定する図８のカバープレートを示す平面図である。
【図９】図８に示されるカバープレートを示す側面図である。
【図１０】図８に示されるカバープレートを示す斜視図である。
【図１１】図２に示される調整部分に組み込まれるバックプレートを示す平面図である。
【図１２】図１１に示されるバックプレートを示す側面図である。
【図１３】図１１に示されるバックプレートを示す斜視図である。
【図１４】図２に示される調整部分のコアと、図５、６および７に示されるファスナー部材とを示す斜視図である。
【図１５】図１４に示されるコアおよびファスナー部材を示す斜視図である。
【図１６】ストラップがファスナー部材に摺動可能に係合されるように配置されている、図１５に示されるコアおよびファスナー部材を示す斜視図である。
【図１７】スリーブ上に縫い付けられたカバープレートを示す平面図である。
【図１８】図１６に示されるコア、ファスナー部材およびストラップを組み付ける準備が整っている、図１７に示されるスリーブカバープレート組立体を示す斜視図である。
【図１９】図１６に示されるコア、ファスナー部材およびストラップが組み付けられている、図１７のスリーブカバープレート組立体を示す断面図である。この断面図の平面は図２の断面線ＩＶ−ＩＶによって規定される平面と同様である。
【図２０】バックプレートと共に、図１９に示される組み立てられた部分を示す下方から見た斜視図である。
【図２１】バックプレートが嵌め合い係合されている、図２０に示される組み立てられた部分を示す斜視図である。
【発明を実施するための形態】
【００１６】
以下では、具体的な例を参照して、ファスナーシステムに関する種々の革新的な原理を説明し、限定しないがより具体的には、バッグまたはパックに関連して通常使用されるタイプの調整可能な長さのストラップのための美的魅力を有するファスナーシステムに関する種々の革新的な原理を説明する。当業者は、多くの変更および変形が、本発明の主題の本質を説明するために述べられ、例示された部品および動作の詳細、材料および配置において可能であること、ならびにそのような変更および変形が、そこに含有される教示および請求項の趣旨および範囲から逸脱しないことを認識するであろう。
【００１７】
多様な一致するシステム特性のうちのいずれかを達成するために、開示される原理のうちの１つ以上の原理が種々のシステム構成に組み込まれ得る。添付図面に関連して以下に記載される詳細な説明は種々の実施形態を説明することを意図され、本発明者らによって企図される実施形態のみを示すことを意図されない。詳細な説明には、本明細書で開示される原理を包括的に理解するのを可能にすることを目的として具体的な細部が含まれる。しかし、読み終えた後、当業者には、特許請求される発明のうちの１つ以上の発明が示される細部のうちの１つ以上の細部を用いずに実施され得ることが明らかとなろう。
【００１８】
言い換えると、特定の構成、用途または使用に関連して説明されるシステムは、単に、本明細書で開示される革新的な原理のうちの１つ以上の原理を組み込むシステムの例であり、開示される原理の１つ以上の革新的な態様を例示するのに使用されるものである。したがって、本明細書で考察される具体的な例とは異なる属性を有するファスナーシステムが革新的な原理のうちの１つ以上の原理を具体化することができ、また、本明細書で詳細には説明されない用途でも使用され得る。したがって、このような代替的実施形態も本開示の範囲内にある。
【００１９】
用語「着用パック」は、本明細書で使用される場合、バックパック、リュックサック、デイパック、メッセンジャーバッグ、トートバッグおよび１つ以上の肩ストラップを有する他のパックから成る系統に沿って、肩ストラップを有する着用パックを広く指す。「バックパック」は、文脈が特に示さない限り、１対の肩ストラップを有するパックを意味する。
【００２０】
着用パック
図１が着用パック１０の可能性のある一実施形態を示しており、この事例では着用パック１０はバックパックである。示される実施形態は、本発明の主題の態様を例示するのに概して使用されるが、開示される革新技術は示される実施形態によって制限されない。着用パック１０の本体１２は、少なくとも前面１４、背面１６、上面１８、底面２０、ならびに他の表面と相互接続する側面２４および２６の全体的構成を有する。表面の配置は、物品を含有するための１つ以上の容積部、すなわちコンパートメントを規定する。表面１４、１６、１８、２０、２４、および２６の文脈において、用語「表面」は、パックの本体に組み立てられるときに外に向く側および内に向く側を有する全体的にシート状またはパネル状構造を意味するために広く使用される。表面は、個別の接合部で一緒になる必要はなく、それらは、例えば湾曲する境界面で融合してもよく、および／または、別の形で連続的な（例えば、一体の）構造を構築してもよい。典型的には、表面は、編物または織ったもしくは不織の布地の１つ以上の層などの、柔軟な材料で作られるが、しかしパックは、プラスチック、ポリマー発泡体、金属、および／または複合物などの、形状を保つ半硬質または硬質材料で全体的にまたは部分的に作られてもよい。
【００２１】
少なくともバックパックの場合には、本体は一般に、それが着用者の背中に快適に適合するようなサイズおよび形状にされる。場合によっては、それは、背中の骨格の輪郭に合致するように輪郭形成されてもよい。一般に、それは、背中の幅、または目的とする着用者のウエストと肩との間の長さをほとんど越えないような寸法にされる。バックパックは、高さの変化、例えば小さい、中間、または大きい高さを受け入れるために異なるサイズおよび形状にされてもよい。またはそれらは、性別または年齢のカテゴリ、例えば男性、女性、または子供に適合するようなサイズおよび形状にされてもよい。特に、上部側もしくは底部側の表面または両方は基本的に、前面１４および背面１６の上部エッジ、ならびに／または前面１４および背面１６の底部エッジを一緒に融合させ、表面が接合するくさび形（例示される実施形態には図示せずまたは存在しない）を作成することによって全体的にまたは部分的に取り除かれる可能性もある。同様に、表面は、例えば表面を融合させるために曲線を使用することによって横から低減される可能性もある。側面２４および２６はまた、同様の仕方で接合されるまたは融合される可能性もある。表面は、必ずしも連続表面であるとは限らず−例えばジッパー、網状部分、およびコードが、それらを中断してもよい。
【００２２】
着用パックに結合される身体用ストラップシステムは、本体に接続される１つ以上の個別の品物であってもよく、または、本体と一体化される、例えばパックの本体と一体形で織られる、編まれる、もしくは成形される構造体であってもよい。ストラップシステムは、従来のバックパックで知られているように、１対の肩ストラップであってもよく、または、例えばバイクメッセンジャーバッグの場合に知られているように、着用者の片方の肩の上から着用者の胸部を横切って肩の反対側の腕の下へと適合するように構成される長い単一ストラップであってもよい。本明細書で使用される場合、「ストラップ」は、柔軟で、目の粗い、帯状の構造体だけでなく、また本明細書で述べられる目的のための機能性を提供する個々のフィラメントまたはフィラメントの束、鎖、コード、ケーブル、その他をも指すように意図されている。ストラップは、弾性または非弾性部分を有してもよい。それはまた、弾性部分および非弾性部分の構成を有してもよい。図に示されるバックパックは、１つ以上の肩ストラップ、示される例ではストラップ３６および３８を含む。肩ストラップシステムは、材料の単層ストラップに基づいてもよくまたはそれらは、より重い荷物を運ぶためのより高性能のバックパックで知られているように、材料の複合物とすることができる。しばしば、着用者の身体に重みがかかる肩ストラップの部分は、パッド付きもしくは衝撃を和らげる材料または構成を使用して作られる。例えば、それは、ポリウレタン、成形または切断ＥＶＡ発砲体（エチレン酢酸ビニール）、ナイロンなどの布帛によって囲まれたまたはそれに接合されたパッド付きメッシュ−ナイロンまたはポリエステルスペーサメッシュとしてしばしば知られている−などの、セル状発泡材料の複合物であってもよい。
【００２３】
典型的には、パックの本体は、パック内のコンパートメントへのアクセスのための閉鎖可能な開口を含む。図示される実施形態では、開口は、主コンパートメントへのパックの上部におけるアクセスを提供する。開口は、パックの片側または両側の下方へ所望の程度まで延びてもよい。開口は、連動するオス／メス部品に基づく機構、例えばスナップ、ジッパー、面ファスナー、ボタン、その他など、あるいは、別のカプラなどの閉鎖システムによって閉鎖状態に固定されてもよい。
【００２４】
開口は、パックの一部分を別の部分から分離することによって作成される。パックの前部は背部に対して移動可能であってよい。
【００２５】
パックは、所望される構成でパックを支持するのを補助するのに役立つ静的フレーム要素を有することができ、これは、主コンパートメントの構造および容積部を維持しながら、分離したパックの前部および背部を保持するのに役立つフレーム要素などである。静的フレーム要素は、コンパートメントを概して所望される形状で維持しながら後方にある程度弾性的に曲がるのを可能にするような半硬質であってよい。
【００２６】
主コンパートメントに加えて、本体は、物品を含有するために任意の数の他のコンパートメントを含んでもよい。他のコンパートメントは、主コンパートメントまたは互いに対して左右にまたは上下に隣接して配置されてもよい。そのコンパートメントのいずれかを含む、本体はまた、コンパートメントの内側または外側に配置されるポケットを有してもよい。例えば、ポケット（図示せず）はまた、本体１２の前方に配置されてもよい。本明細書で使用される場合、「コンパートメント」は、寝袋、ラップトップ、衣類、本、その他などのものを保持するための相対的に大きい領域を指す。一般に、「ポケット」は、財布、携帯電話、メディアプレーヤ、水筒、その他などのものを保持するための相対的により小さい領域を指す。しかしながら、パックの主コンパートメントよりほかは、コンパートメントであるものとポケットであるものとの間に明瞭な分割線が常にあるとは限らない。オプションの背面からアクセスできるコンパートメント３５は、ラップトップ２などの物体を収納するための、主コンパートメント３０から分離される。コンパートメントは、例えばジッパーシステム３７ａ、３７ｂによってアクセスされてもよい。
【００２７】
示される実施形態では、パックが、バックパネル上でアクセスされ得るラップトップコンピュータまたはタブレットコンピュータ（以降、「デバイス」と総称する）コンパートメントなどの、概略平坦な品物を収納するための専用のコンパートメントを有する。そのコンパートメントへのアクセスは、片側の上方にある部分から、上部を回って、もう一方の側の下方にある部分まで走るジッパーを介して提供されてもよい。ラップトップ用コンパートメントのジッパーは、ストラップから離れており、それでアクセスは、確実で、なお容易である。いくつかの例では、ラップトップまたはタブレットコンピュータのためのコンパートメントのサイズは、２０ｃｍ（高さ）×１２ｃｍ（幅）×１０ｃｍ（深さ）の最小寸法を有するデバイスを収納し、封入するサイズを有するように構成されるべきである。ラップトップまたはタブレット収納コンパートメントが主コンパートメントまたは他の任意適切なコンパートメントになり得ること、および、取り出しシステム（ｅｊｅｃｔｉｏｎ  ｓｙｓｔｅｍ）の本明細書の考察が任意のこのようなコンパートメントに当てはまることを理解されたい。また、取り出しシステムが、デバイスに加えて、他の種類の含有品物でも使用され得ることを理解されたい。
【００２８】
着用者の身体でパックの本体を運ぶための肩ストラップ３６、３８に加えて、パックはオプションとして、ハンドルまたはグリップ（図示せず）を含んでもよい。調整可能なストラップの例を以下でより完全に説明する。
【００２９】
パックの本体１２は、薄く、柔軟な材料の１つ以上の層で構成されてもよい。本体に使用するための典型的な柔軟な材料は、天然材料および合成材料、ナイロン布帛、ポリエステル布帛、天然もしくは合成ゴムまたは材料のゴム状層、動物の皮（例えば、革）、綿、帆布、麻、羊毛、ならびに混紡布帛を含む。これらの材料は、単独でまたは互いに組み合わせて使用されてもよい。本体は、ナイロン平織りもしくはあや織り布帛などの連続表面または網目もしくはクモの巣状の構造などの穴のあいた表面を有する材料を使用して形成されてもよい。
【００３０】
フレーム要素は、柔軟な材料または他の本体形成材料を層間に組み込むまたは材料の外面または内面に貼り付けることによってそれらと関連付けられてもよい。さらに、パックのパネルまたは一部は、剛性または半剛性構造体を提供するために硬質材料で一体的に成形されるまたはさもなければ形成されてもよい。
【００３１】
ファスナーシステム
次に図１を参照すると、いくつかの調整可能なパックのストラップ３６、３８の長さが調整可能である。このような調整性により、多様な大きさの着用者が所与のパックを使用することが可能となり、また、所与の使用者が多用なサイズおよび重量の負荷に対応するためにパックの適合度を調整することが可能となり得る。
【００３２】
図２〜２１のすべてを参照すると、調整可能な長さのストラップ３６が、肩係合部分３６ａと、調整機構１００と、肩係合部分３６ａに対して固定される別個のストラップ（引張部材）３６ｂすなわちバンドとを有することができる。図２に示されるように、ストラップ３６の調整可能な部分（引張部材）３６ｂが、調整機構１００および／または肩係合部分３６ａにより視界から覆い隠され得る。いくつかの開示される実施形態では、調整機構１００は、例えばカバープレート１２０（図４）により、ストラップ３６の調整可能な部分（引張部材）３６ｂの少なくとも一区分を視界から覆い隠す。他の例では、ストラップ３６の一部分が、図８Ａに示されるカバープレート１２０のように、カバープレート１２０によって規定される穴１２１’を通して可視となり得る。ストラップ（引張部材）３６ｂが摺動可能に係合される形で調整機構１００を通して織り込まれ得、それによりストラップ（引張部材）３６ｂが肩係合部分３６ａに対して摺動可能に結合され、それによりストラップ３６の長さを調整することが可能となる。
【００３３】
ストラップ３６（図３）の調整可能な部分（引張部材）３６ｂの解放されている方の端部を引っ張って調整機構１００を通して調整可能なその区分を引くことにより、ストラップ３６の長さが短くされ得る。図３で参照符号「３６ａ」に隣接して配置される矢印によって示されるように肩係合部分３６ａの遠位端を調整可能な部分から離すように持ち上げて調整機構を通して調整可能な区分（引張部材）３６ｂを引くことにより、ストラップ３６の長さが長くされ得る。
【００３４】
ストラップ（引張部材）３６ｂの少なくとも一区分を居合わせる人の視界から覆い隠すことで、調整機構１００により、多様なサイズの使用者および／またはパック内の多様な負荷に対応することを目的としてストラップ３６の長さを調整するための能力を維持しながら、満足のいく現代的な美しさ（ａｅｓｔｈｅｔｉｃ）を有する「クリーンなライン」がストラップに与えられる。
【００３５】
ファスナー機構または「テンションロック（ｔｅｎｓｉｏｎ  ｌｏｃｋ）」とも称される場合もある、調整機構１００が、図面に示される肩ストラップの例では、肩係合部分３６ａに対してストラップ（引張部材）３６ｂを摺動可能に維持する。もちろん、より一般的な意味では、本明細書で開示される調整機構１００は、多様な形態のうちの任意の形態の柔軟な引張部材を別の部材に対して摺動可能に維持することができる。したがって、本開示全体を通して、および、特許請求の範囲において、「ストラップ」および「肩係合部分」という用語を使用することは、特に明記しない限り、それぞれ、より一般的な意味である柔軟な引張部材および別の部材として解釈されるものとする。限定しないが、より具体的には、柔軟な引張部材の例には、ロープ、撚糸、織布ストラップ、金属ケーブル、プラスチックバンド、ホース、および、弾性バンドが含まれる。
【００３６】
図４の断面図に示されるように、調整機構１００は、ストラップ（引張部材）３６ｂを摺動可能に受けるための第１のプレート１１０を有することができる。第２のプレート１２０が第１のプレート１１０に嵌め合い係合され、それによりストラップ（引張部材）３６ｂの一区分が視界から覆い隠されるようになる。例えば、図２の視界から覆い隠されるストラップ３６の区分には、第１のプレート１１０を通して織り込まれて第１のプレート１１０に係合されるストラップ（引張部材）３６ｂの区分が含まれる。
【００３７】
ファスナープレート
図５から７を参照すると、ストラップ（引張部材）３６ｂを摺動可能に受けるように配置されるファスナープレート（第１のプレート）１１０が、横部材１１４に対して互いに反対側に配置される第１の穴１１２ａおよび第２の穴１１２ｂを規定することができる。調整可能な長さのストラップの文脈ではテンショナと称される場合もある柔軟な引張部材３６ｂが、第１の穴１１２ａを通って第１のプレート１１０の第１の側１１１ａから第２の側１１１ｂまで延在することができる。図４に示されるように、引張部材３６ｂは、第１の穴１１２ａから第２の穴１１２ｂまで通過するときに横部材１１４の上を延在することができる。ストラップ（引張部材）３６ｂが第２の穴１１２ｂを通って第２の側１１１ｂから第１の側１１１ａまで延在することができる。
【００３８】
このような構成により、使用者がストラップ（引張部材）３６ｂの自由端を引っ張ることにより調整可能なストラップ３６の有効長さを容易に短くすることが可能となり、ここでは同時に、ストラップ３６が引張荷重下にある場合でもその長さを安定させて固定させることが可能である。図４に示されるように、肩係合部分の遠位端３６ａが、着用者の前方に位置する人の視界からストラップ（引張部材）３６ｂの自由端を覆い隠すかまたは隠すことができる。
【００３９】
ファスナープレート１１０が、第２の側１１１ｂの方を向く実質的に平坦なフランジ１１６を規定することができる。図４の断面図および図７の斜視図で最も良好に見られるように、壁１１８ａ〜１１８ｄがフランジから延在することから、横部材１１４がフランジ１１６から垂直に延びる方向において平坦な境界領域から離間され得る。壁１１８ａ、１１８ｃは、第１の穴１１２ａ、第２の穴１１２ｂおよび横部材１１４のうちの１つ以上に実質的に平行となるように方向付けられ得る。図面に示される例示の実施形態では、壁１１８ａ、１１８ｃはこれら３つすべてに平行に延在する。
【００４０】
第１のプレート１１０が、カバープレート１２０に嵌め合い係合されるように構成されるカプラ部材を規定することができる。示される実施形態では、第１のプレート１１０が少なくとも１つのオスカプラ１１４ａを規定し、カバープレート１２０が対応する少なくとも１つのメスカプラ１２４ａを規定する。オスカプラ１１４ａおよびメスカプラ１２４ａは相補的に構成され、ここでは、図１および図４の断面図に示されるように第１のプレート１１０および第２のプレート１２０が互いに嵌め合い係合されるとき、オスカプラ１１４ａおよびメスカプラ１１４ｂが互いに係合される。
【００４１】
示される特定の実施形態では、オスカプラ１１４ａは壁１１８ａおよび壁１１８ｃの各々から延在する突起部である。第１の壁１１８ａは第１の穴１１２ａに隣接して平行に配置される。第２の壁１１８ｃは第２の穴１１２ｂに隣接して平行に配置される。第１の壁１１８ａに関連付けられる突起部が、壁から外側へ、第１の穴１１２ａと反対の方向に延在する。第２の突起部が、第２の壁１１８ｃから、第２の穴１１２ｂと反対の方向に延在する。
【００４２】
図５に最も良好に示されるように、ファスナープレート１１０が複数の穴１１９ａ、１１９ｂ、１１９ｃ、１１９ｄを規定することができる。各穴がバックプレート１３０（図１１〜１３に示されており、後でより完全に説明する）からの対応する延在部分１３４ａ、１３４ｂ、１３４ｃ、１３４ｄを受けることができる。ファスナープレート１１０はまた、穴１１９ａ〜１１９ｄの各々に隣接するように配置されるランディング（ｌａｎｄｉｎｇ）領域１１３ａ，１１３ｂ，１１３ｃ，１１３ｄを規定することができ、それにより、図４に示されるように、対応する各延在部分１３４ａ〜１３４ｄのバーブがプレート１３０を押圧してそれによりファスナープレート１１０と嵌め合い係合させて維持することが可能となる。
【００４３】
カバープレート
例えば図２および４に示されるように、第１のプレート１１０および第２のプレート１２０が互いに嵌め合い係合されるとき、カバープレート１２０がファスナープレート１１０の第２の側１１１ｂの上に重なることができる。より具体的には、第１のプレート１１０および第２のプレート１２０が互いに嵌め合い係合されるとき、第２のプレート１２０が第１の穴１１２ａおよび第２の穴１１２ｂの上を延在し、横部材１１４が第２のプレートから離間される。このように離間させることにより、ファスナープレート１１０に対してストラップを横部材上で摺動させるときに、ストラップ（引張部材）３６ｂが横部材１１４とカバープレート１２０との間を通過することが可能となる。このような構成を用いることにより、図２に示されるように、カバープレート１２０がストラップ（引張部材）３６ｂの少なくとも一区分を覆い隠すようになる。
【００４４】
カバープレート１２０が、平坦部材１２６と、平坦部材１２６から直角に延在する反対側にある第１の壁１２６ａおよび第２の壁１２６ｃとを規定することができる。ファスナープレート１１０によって規定される対応するオスカプラ１１４ａを受けるメスカプラ１２４ａは、反対側にある第１および第２の壁１１８ａ，１１８ｃのうちの各々１つの壁によって規定される凹部領域であってよい。壁１１８ａ，１１８ｃのうちの１つ以上の他の壁が同様のメスカプラ１２４ａを規定することができる。このような構成により、例えば図２および４に示されるように、ファスナープレート（第１のプレート）１１０とカバープレート（第２のプレート）１２０とを嵌め合い係合させることが可能となる。平坦部材１２６が壁１２６ａ〜１２６ｄの外側に延在して外側フランジを規定することができる。図８Ａに示されるように、平坦部材１２６がそこを通って延在する穴１２１’を規定することができる。調整可能なストラップ（引張部材）３６ｂの一部分が穴１２１’を通して可視となり得る。
【００４５】
外側フランジが凹部チャンネル１２１を規定することができる。後でより完全に説明するように、外側フランジは、例えば、スリーブ、カバー、シースまたは他の材料層に対して、固定可能に取り付けられ得る。一実施形態では、外側フランジは別の部材に縫い付けられ、ここでは縫い目はチャンネル１２１によって規定される経路に従い、それにより、縫い目の最も上側の表面を平坦部材１２６の上側表面の下方で窪んだ状態で維持することが可能となり、それにより「クリーン」な美しさが与えられ、また、縫い目が摩耗することが防止されるかまたはその可能性が低減される。
【００４６】
いくつかの実施形態では、材料は、外側フランジなどを規定するように、カバープレート１２０に対して共成形またはオーバーモールドされ得る。この材料は、カバープレートの主本体を形成するのに使用される材料と異なる１つ以上の特性を有してよい。例えば、共成形またはオーバーモールドされる材料は、主本体を形成する材料と比較して異なる触感を提供することができ、および／または、異なる視覚的外観を提供することができる。共成形またはオーバーモールドされる材料はより低いデュロメータを有することができ、あるいは他には、スリーブ、カバー、シース、または、ストラップ材料の他の層に対して縫い付けられるかまたは他の形で取り付けられるのに適し得る。いくつかの例では、共成形またはオーバーモールドされる材料は、主本体を形成する材料と比較して、スリーブ、カバー、シース、または、ストラップ材料の他の層に対して縫い付けられるかまたは他の形で取り付けられるのにより適する。
【００４７】
バックプレート
バックプレート１３０が、カバープレート１２０の反対の側１１１ａからファスナープレート１１０に嵌め合い係合され得る。バックプレート１３０は、ストラップ（引張部材）３６ｂがファスナープレート１１０内の第１の穴１１２ａに接近するときおよびストラップ（引張部材）３６ｂがファスナープレート内の第２の穴１１２ｂから再び延在するときにカバープレートを通してストラップ（引張部材）３６ｂを延在させるのを可能にするようにサイズ決定される対応する穴１３２を規定することができる。
【００４８】
第３のプレート１３０の示される実施形態が、第３のプレートに対して実質的に直角の方向に第３のプレート１３０から延在する１つ以上のオスカプラ１３４ａ、１３４ｂ、１３４ｃ、１３４ｄを規定する。各オスカプラ１３４ａ、１３４ｂ、１３４ｃ、１３４ｄが、第３のプレート１３０の表面１３１の方を向くランディング領域１３５ａ，１３５ｂ，１３５ｃ，１３５ｄを有するテーパ状バーブを規定することができ、それぞれのオスカプラ１３４ａ〜１３４ｄはこの表面１３１から延在する。上述したように、ファスナープレート１１０は各々の個別の穴１１９ａ、１１９ｂ、１１９ｃ、１１９ｄに隣接して配置される対応するランディング領域１１３ａ，１１３ｂ，１１３ｃ，１１３ｄを有し、これらの穴１１９ａ、１１９ｂ、１１９ｃ、１１９ｄを通って第３のプレート１３０の対応するオスカプラ１３４ａ、１３４ｂ、１３４ｃ、１３４ｄが延在することができる。第３のプレート１３０および第１のプレート１１０が互いに嵌め合い係合されるとき、テーパ状バーブのランディング領域１３５ａ，１３５ｂ，１３５ｃ，１３５ｄが第１のプレート１１０のランディング領域１１３ａ，１１３ｂ，１１３ｃ，１１３ｄを押圧することができる。このような係合が図４の断面図に示される。
【００４９】
カバープレート１２０と同様に、バックプレート１３０は穴１３２の外側に延在するフランジ１３１を規定することができる。フランジ１３１は、後でより完全に説明するように、ストラップ３６の１部分に対して添着され得るかまたは他の形で固定され得る。
【００５０】
組立体
特に図２、４、１４、１５および１８を参照すると、調整可能な長さのストラップが、反対側にある第１の側１１１ａおよび第２の側１１１ｂを備えるコア３６ｃを有することができる。コア３６ｃが第１の側１１１ａから第２の側１１１ｂまで延在する穴１０１を規定することができる。
【００５１】
上述したタイプのファスナー部材１１０が、そのフランジ１１６によりコア３６ｃの第１の側１１１ａを押圧するかあるいはそのフランジ１１６をコア３６ｃの第１の側１１１ａに係合または固定させるように、配置され得る。壁１１８ａ〜１１８ｄを穴１０１内に配置してフランジ１１６をコア３６ｃの表面に嵌め合い係合させることにより、ファスナープレート１１０の第１の穴１１２ａおよび第２の穴１１２ｂがコアを通って延在する穴１０１に位置合わせされ得る。
【００５２】
ストラップ（引張部材）３６ｂが、ファスナー部材１１０内の第１の穴１１２ａを通って、コア３６ｃの第１の側１１１ａからコア３６ｃの第２の側１１１ｂまで延びる方向に、延在することができる。図４に示されるように、ストラップ（引張部材）３６ｂは、横部材１１４を越え、コア３６ｃの第２の側１１１ｂからコアの第１の側１１１ａまでの延びる方向で、ファスナー部材１１０内の第２の穴１１２ｂを通って延在することができる。
【００５３】
カバープレート１２０はファスナープレート１１０に嵌め合い係合されるようにコア３６ｃの第２の側１１１ｂに隣接して配置され得、その結果、コア３６ｃが、ファスナー部材のフランジ１１６とカバープレートの平坦部材１２６によって規定されるフランジとの間に配置されるようになる。
【００５４】
バックプレート１３０は、バックプレート１３０がファスナープレート１１０に嵌め合い係合されるときにコア３６ｃ内の穴１０１に位置合わせされる穴１３２を有することができる。バックプレートはカバープレート１２６の反対側のファスナープレート１１０の側１１１ａに嵌め合い係合され得る。バンド（引張部材）３６ｂが図４に示されるようにバックプレート１３０内の穴１３２を通って延在することができる。
【００５５】
いくつかの実施形態では、反対側にある内側主表面および外側主表面を有するスリーブ３６ａがコア３６ｃの上に重なることができ、その結果、スリーブの内側主表面が対向する関係でコア３６ｃの方を向く。示されるスリーブ３６ａはカバープレート１２０の壁を通過させて延在させる開口を規定し、それにより、カバープレート１２０がファスナー部材１１０に嵌め合い係合されることが可能となる。カバープレート１２０のフランジ１２６がスリーブ３６ａの外側主表面の一部分の上に重なることができ、その結果、スリーブがフランジ１２６とコア３６ｃとの間に位置して、スリーブ３６ａおよびコア３６ｃがカバープレート１２０のフランジ１２６とファスナー部材１１０のフランジ１１６との間に配置されるようになる。
【００５６】
バックプレート１３０のフランジ１３１もスリーブ３６ａの一部分の上に重なることができ、その結果、スリーブのその一部分がバックプレート１３０のフランジ１３１とファスナー部材１１０との間に配置されるようになる。
【００５７】
次に、ストラップ３６の長さを調整するための隠される調整機構１００を組み立てる方法を説明する。ストラップ（引張部材）３６ｂが、ファスナー部材１１０によって規定される第１の穴１１２ａを通り、横部材１１４を越えて、第２の穴１１２ｂを通るように、送られ得る。ファスナー部材１１０がコア３６ｃによって規定される穴１０１内に挿入され得る。
【００５８】
カバープレート１２０がスリーブ３６ａに添着され得る。コア３６ｃがスリーブ３６ａ内に挿入され得る。コア３６ｃが、ファスナープレート１１０によって規定されるフランジ１１６とカバープレート１２０によって規定されるフランジ１２６とに間に配置され得る。スリーブ３６ａの一部分が、コア３６ｃとカバープレート１２０によって規定されるフランジ１２６との間に配置され得る。カバープレート１２６がファスナー部材１１０に嵌め合い係合され得、それによりストラップ（引張部材）３６ｂが視界から覆い隠される。
【００５９】
ストラップ（引張部材）３６ｂがバックプレート１３０によって規定される穴１３２を通して送られ得る。バックプレート１３０がファスナープレート１１０に嵌め合い係合され得、その結果、スリーブ３６ａの別の部分がバックプレート１３０のフランジ１３１とファスナー部材１１０によって規定されるフランジ１１６との間に配置されるようになる。いくつかの実施形態では、バックプレートがスリーブ３６ａに添着される。
【００６０】
他の実施形態
上述の例は、概して、柔軟な引張部材の長さを調整するのを可能にするファスナーシステムに関連し、限定しないがより具体的には、着用パックのための調整可能な長さのストラップに関連する。しかし、開示される装置の構成に何らかの付属の変更を伴って、開示される概念のための他の用途も企図される。例えば、ベルトまたは他のストラップが本明細書で説明される別の部材に摺動可能に係合されてもよく、また、産業用の使用時、ロッククライミング時、また、ストラップの摩耗を加速させてストラップを裂けさせる可能性のある従来の他の使用時に、カバープレートがベルトまたは他のストラップを磨滅による損傷から保護することができる。本明細書で開示される原理を組み込むことにより、柔軟な引張部材の長さを調整するのを可能にするように構成される多種多様なシステムを提供することが可能となる。
【００６１】
図面の考察を容易にするために方向および指示（例えば、上方、下方、頂部、底部、左側、右側、後方、前方）が使用され得、これらは限定的であることを意図されない。例えば、「上方」、「下方」、「上側」、「下側」、「水平」、「垂直」、「左側」および「右側」などの特定の用途が使用され得る。このような用語は、適用可能である場合に、特には示される実施形態に関連して、相関関係を取り扱うときに説明をある程度明瞭にするのに使用される。しかし、これらの用語は、絶対的関係、絶対的位置および／または絶対的向きを意味することを意図されない。例えば、ある物体に関して、単に物体をさかさまにすることにより、「上側」表面が「下側」表面となり得る。その場合でも、その表面は同じ表面であり、物体は同じままである。本明細書で使用される「および／または」は、「および」または「または」と、「および」および「または」とを意味する。さらに、本明細書で引用されるすべての特許文献および非特許文献はあるゆる目的のためにその全体を本願に引用して援用する。
【００６２】
任意の特定の例に関連して上述した原理は、他の例のうちの任意の１つ以上の例に関連して説明される原理と組み合わされ得る。したがって、この詳細な本記述は限定的な意味で解釈されないものとし、当業者であれば、本開示を読んだ後で、本明細書で説明される多様な概念を使用して案出され得る多種多様なファスナーシステムを認識するであろう。さらに、当業者であれば、本明細書で開示される例示の実施形態が開示される原理から逸脱することなく種々の構成に合うように適合され得ることを認識するであろう。
【００６３】
開示される実施形態の上の説明は、当業者が開示される革新技術を作るかまたは使用するのを可能にするために提示されるものである。それらの実施形態への様々な変更は、当業者に容易に明らかとなり、本明細書で規定される一般的原理は、この開示の趣旨または範囲から逸脱することなく他の実施形態に適用されてもよい。それ故に、開示される発明は、本明細書で示される実施形態に限定されることを目的としておらず、本開示の言語と一致する全範囲を与えられるべきであり、物品の使用などによる、単数形「ａ」または「ａｎ」での要素への言及は、具体的にそう述べない限り、「唯一の」を意味せず、むしろ「１つ以上」を意味することを目的としている。当業者に知られているまたは後で知られることになる、本開示全体にわたって述べられる様々な実施形態の要素に対するすべての構造的および機能的等価物は、本明細書で述べられ、特許請求される要素によって包含されることを目的としている。その上、本明細書で開示されるものは何も、そのような開示が請求項で明確に列挙されるかどうかにかかわらず、公衆にささげられることを目的としていない。要素が「のための手段」または「のためのステップ」という語句を使用して明示的に記載されない限り、いかなる要素も３５ＵＳＣ１１２条、第６パラグラフの規定で解釈されない。
【００６４】
したがって、開示される原理を適用することができる多くの可能性のある実施形態を考慮して、上述の実施形態が単に例であり、範囲を限定するものとして解釈されるべきでないことを認識されたい。したがって、本明細書で説明される主題の任意のおよびすべての組み合わせを特許請求する権利を含めて、本明細書で開示される主題に対するすべての権利を留保し、これには、限定しないが、以下の特許請求の範囲の範囲および趣旨内にあるすべてのものが含まれる。
【符号の説明】
【００６５】
１０  着用パック、１２  本体、１４  前面、１６  背面、１８  上面、２０  底面、２４  側面、２６  側面、３０  主コンパートメント、３５  コンパートメント、３６  ストラップ、３６ａ  肩係合部分（スリーブ）、３６ｂ  ストラップ（引張部材）、３６ｃ  コア、３７ａ，３７ｂ  ジッパーシステム、３８  ストラップ、１００  調整機構、１１３ａ〜１１３ｄ、１３５ａ〜１３５ｄ  ランディング領域、１０１，１１９ａ〜１１９ｄ，１２１，１３２  穴、１１０  第１のプレート、１１１ａ  第１の側、１１１ｂ  第２の側、１１２ａ  第１の穴、１１２ｂ  第２の穴、１１４  横部材、１１４ａ  オスカプラ、１１４ｂ  メスカプラ、１１６  平坦なフランジ、１１８ａ〜１１８ｄ，１２６ｂ，１２３６ｄ  壁、１２０  カバープレート（第２のプレート）、１２４ａ  メスカプラ、１２６  平坦部材、１２６ａ  第１の壁、１２６ｃ  第２の壁、１３０  バックプレート（第３のプレート）、１３１  第３のプレートの表面、１３４ａ〜１３４ｄ  オスカプラ（延在部材）。
【図１】
0006262195.tif 000002
【図２】
0006262195.tif 000003
【図３】
0006262195.tif 000004
【図４】
0006262195.tif 000005
【図５】
0006262195.tif 000006
【図６】
0006262195.tif 000007
【図７】
0006262195.tif 000008
【図８】
0006262195.tif 000009
【図８Ａ】
0006262195.tif 000010
【図９】
0006262195.tif 000011
【図１０】
0006262195.tif 000012
【図１１】
0006262195.tif 000013
【図１２】
0006262195.tif 000014
【図１３】
0006262195.tif 000015
【図１４】
0006262195.tif 000016
【図１５】
0006262195.tif 000017
【図１６】
0006262195.tif 000018
【図１７】
0006262195.tif 000019
【図１８】
0006262195.tif 000020
【図１９】
0006262195.tif 000021
【図２０】
0006262195.tif 000022
【図２１】
0006262195.tif 000023